(57)【要約】【課題】本発明は、フォーカス操作部材、ズーム操作部材を操作しながらレンズ装置用操作スイッチの操作を可能とすることにより、テレビカメラの操作性を向上させることができるレンズ装置用操作スイッチの取付金具を提供する。【解決手段】本発明に係るレンズ装置用操作スイッチの取付金具１０によれば、フォーカスデマンド３２が取り付けられた第１の金具３０に第２の金具７０をポール６８を介して装着すると、その第２の金具７０に取り付けられているスイッチユニット８４がフォーカスデマンド３２に近接配置されるので、フォーカスデマンド３２を操作しながら、スイッチユニット８４の操作が可能となり、これによって、テレビカメラの操作性が向上する。【選択図】    図１
2009020432.tif 000002
【特許請求の範囲】
【請求項１】
カメラ本体、又はカメラ本体が支持されるビルトアップカメラユニットに、レンズ装置のフォーカスレンズを操作するフォーカス操作部材、又はレンズ装置のズームレンズを操作するズーム操作部材が、第１の金具を介して取り付けられたテレビカメラにおいて、
前記第１の金具には、前記レンズ装置を操作するレンズ装置用操作スイッチが第２の金具を介して着脱自在に装着され、前記第２の金具によって前記レンズ装置用操作スイッチが、前記フォーカス操作部材、又はズーム操作部材に近接配置されることを特徴とするレンズ装置用操作スイッチの取付金具。
【請求項２】
前記レンズ装置用操作スイッチは、前記レンズ装置の防振レンズをＯＮ／ＯＦＦ操作する防振スイッチ、前記レンズ装置のワイパー装置をＯＮ／ＯＦＦ操作するワイパースイッチ、前記レンズ装置のエクステンダレンズ部を操作するエクステンダスイッチであることを特徴とする請求項１に記載のレンズ装置用操作スイッチの取付金具。
【請求項３】
前記第１の金具には、前記フォーカス操作部材、又はズーム操作部材の配置位置を調整する第１の位置調整部が設けられるとともに、前記第２の金具には、前記レンズ装置用操作スイッチの配置位置を調整する第２の位置調整部が設けられていることを特徴とする請求項１、又は２に記載のレンズ装置用操作スイッチの取付金具。
【発明の詳細な説明】
【技術分野】
【０００１】
本発明は、フォーカスレンズを操作するフォーカス操作部材、ズームレンズを操作するズーム操作部材がカメラ本体、又はビルトアップカメラユニットに取り付けられたテレビカメラにおいて、その他のレンズ装置用操作スイッチをテレビカメラに有効に取り付けるために用いられるレンズ装置用操作スイッチの取付金具に関する。
【背景技術】
【０００２】
スタジオ、競技場等においてテレビカメラで撮影を行う場合には、雲台を備えた三脚等の支持部材にテレビカメラを設置して行うのが通常である。また、ＥＮＧカメラ等のハンディタイプのカメラを使用して撮影を行う場合には、特許文献１に開示されたビルトアップカメラユニットを利用して行う場合が多い。
【０００３】
ビルトアップカメラユニットとは、ハンディタイプのカメラ本体を支持する支持フレーム、支持フレームを支持する三脚、及びカメラ本体に接続されるレンズ装置を収納するレンズカバー等から構成されている。このビルドアップカメラユニットは、レンズ装置のフォーカスレンズを操作する場合、レンズ装置がレンズカバー内に収納されて手動操作が困難であるため、フォーカスレンズを電動で遠隔操作するフォーカスデマンドによってフォーカス操作を行っている（特許文献１参照）。なお、レンズ装置のズームレンズを操作する場合も同様であり、ズームレンズを電動で遠隔操作するズームレートデマンドによってズーム操作を行っている。
【０００４】
このようなフォーカスデマンド、ズームレートデマンドは、ビルトアップカメラユニットの前記支持フレームの側面に取り付けられ、カメラマンの手によって操作される。
【０００５】
また、箱型レンズを使用する一般的なテレビカメラでは、フォーカスデマンド、ズームレートデマンドがカメラ本体の側面に装着されているものがある。このテレビカメラも同様にカメラマンの手によってフォーカスデマンド、ズームレートデマンドが操作される。
【０００６】
ところで、テレビカメラには、前述したフォーカスデマンド、ズームレートデマンドの他に、防振レンズをＯＮ／ＯＦＦ操作する防振スイッチ、ワイパー装置をＯＮ／ＯＦＦ操作するワイパースイッチ、エクステンダレンズ部を操作するエクステンダスイッチ等のレンズ装置用操作スイッチが設けられている。従来、これらのレンズ装置用操作スイッチは、カメラ本体の背面に設けられた把手、及びビルトアップカメラユニットの支持フレームの背面に設けられた把手に取り付けられてカメラマンの手によって操作されている。
【特許文献１】特開２００６−２２９７８３号公報
【発明の開示】
【発明が解決しようとする課題】
【０００７】
ところで、テレビカメラを操作するカメラマンは、一般にカメラ本体のビューファインダを見ながらフォーカスデマンド、ズームレートデマンドを操作するが、その他のレンズ装置用操作スイッチを操作する際においても、フォーカスデマンド、ズームレートデマンドを操作しながら操作することがテレビカメラの撮影操作上好ましい。
【０００８】
しかしながら、カメラ本体、又はビルトアップカメラユニットにフォーカスデマンド、ズームレートデマンドが設けられた従来のテレビカメラでは、その他のレンズ装置用操作スイッチがフォーカスデマンド、ズームレートデマンドから離れた位置に、例えば、カメラ本体の背面に設けられた把手、及びビルトアップカメラユニットの支持フレームの背面に設けられている把手に配置されているため、フォーカスデマンド、ズームレートデマンドから手を離さなければその他のレンズ装置用操作スイッチを操作することができず、テレビカメラの操作性が悪いという欠点があった。また、スイッチの位置を確認するためにカメラマンがビューファインダから目を離さなければならないという欠点もあった。
【０００９】
本発明はこのような事情に鑑みてなされたもので、フォーカス操作部材、ズーム操作部材を操作しながらレンズ装置用操作スイッチの操作を可能とすることにより、テレビカメラの操作性を向上させることができるレンズ装置用操作スイッチの取付金具を提供することを目的とする。
【課題を解決するための手段】
【００１０】
請求項１に記載の発明は、前記目的を達成するために、カメラ本体、又はカメラ本体が支持されるビルトアップカメラユニットに、レンズ装置のフォーカスレンズを操作するフォーカス操作部材、又はレンズ装置のズームレンズを操作するズーム操作部材が、第１の金具を介して取り付けられたテレビカメラにおいて、前記第１の金具には、前記レンズ装置を操作するレンズ装置用操作スイッチが第２の金具を介して着脱自在に装着され、前記第２の金具によって前記レンズ装置用操作スイッチが、前記フォーカス操作部材、又はズーム操作部材に近接配置されることを特徴としている。
【００１１】
請求項１に記載の発明によれば、フォーカス操作部材、又はズーム操作部材は、第１の金具を介してカメラ本体、又はビルトアップカメラユニットに取り付けられており、この第１の金具に第２の金具を装着すると、その第２の金具に取り付けられているレンズ装置用操作スイッチがフォーカス操作部材、又はズーム操作部材に近接配置される。これにより、フォーカス操作部材、又はズーム操作部材を操作しながら、レンズ装置用操作スイッチの操作が可能となるので、テレビカメラの操作性が向上する。なお、レンズ装置用操作スイッチを使用しない場合には、第１の金具から第２の金具を取り外せばよい。
【００１２】
請求項２に記載の発明は、請求項１において、前記レンズ装置用操作スイッチは、前記レンズ装置の防振レンズをＯＮ／ＯＦＦ操作する防振スイッチ、前記レンズ装置のワイパー装置をＯＮ／ＯＦＦ操作するワイパースイッチ、前記レンズ装置のエクステンダレンズ部を操作するエクステンダスイッチであることを特徴としている。
【００１３】
請求項２に記載の発明によれば、フォーカス操作部材、ズーム操作部材を操作しながら、防振スイッチ、ワイパースイッチ、エクステンダスイッチを操作することができるので、テレビカメラの操作性が向上する。
【００１４】
請求項３に記載の発明は、請求項１、又は２に記載の発明において、前記第１の金具には、前記フォーカス操作部材、又はズーム操作部材の配置位置を調整する第１の位置調整部が設けられるとともに、前記第２の金具には、前記レンズ装置用操作スイッチの配置位置を調整する第２の位置調整部が設けられていることを特徴としている。
【００１５】
請求項３に記載の発明によれば、第１の金具に設けた第１の位置調整部によって、フォーカス操作部材、又はズーム操作部材の配置位置を調整することができ、そして、第２の金具に設けた第２の位置調整部によってレンズ装置用操作スイッチの、前記フォーカス操作部材、ズーム操作部材に対する位置を調整することができる。よって、フォーカス操作部材、又はズーム操作部材をカメラマンの好みに応じた位置に調整しても、このフォーカス操作部材、又はズーム操作部材にレンズ装置用操作スイッチを近接配置することができるので、テレビカメラの操作性が更に向上する。
【発明の効果】
【００１６】
本発明に係るレンズ装置用操作スイッチの取付金具によれば、フォーカス操作部材、又はズーム操作部材が取り付けられた第１の金具に第２の金具を装着すると、その第２の金具に取り付けられているレンズ装置用操作スイッチがフォーカス操作部材、又はズーム操作部材に近接配置されるので、フォーカス操作部材、又はズーム操作部材を操作しながら、レンズ装置用操作スイッチの操作が可能となり、これによって、テレビカメラの操作性が向上する。
【発明を実施するための最良の形態】
【００１７】
以下添付図面に従って、本発明に係るレンズ装置用操作スイッチの取付金具の好ましい実施の形態について詳述する。
【００１８】
図１は、本発明の実施の形態に係るレンズ装置用操作スイッチの取付金具１０が取り付けられたビルトアップカメラユニット１２の側面図である。
【００１９】
ビルトアップカメラユニット１２は、ハンディタイプのカメラ本体（不図示）を支持するとともに電子ビューファインダ１４が搭載される支持フレーム１６、カメラ本体に接続されるレンズ装置（不図示）を収納するレンズカバー１８等から構成され、支持フレーム１６が雲台装置２０を介して三脚２２に支持されている。雲台装置２０にはパン棒２４が後方に延設され、このパン棒２４のグリップ２５をカメラマンが左手で把持して上下、左右に動作させることにより、ビルトアップカメラユニット１２が雲台装置２０を介してパン方向、チルト方向に動作される。また、ビルドアップカメラユニット１２の支持フレーム１６の側面には、支持フレーム１６を持ち運びするための把手２６が設けられている。
【００２０】
支持フレーム１６の側面の後方下部には、図２、図３に示すように菊座２８が予め設けられている。この菊座２８を利用して第１の金具３０が着脱自在に装着され、この第１の金具３０に、カメラマンが右手で操作するフォーカスデマンド３２が回動自在に装着されている。よって、カメラマンは、左手で図１のパン棒２４のグリップ２５を把持し、電子ビューファインダ１４に映る画像を見ながら、右手でフォーカスデマンド３２を操作することができる。なお、実施の形態では、フォーカスデマンド３２を例示しているが、この構造をズームレートデマンド（ズーム操作部材）にも適用できる。すなわちカメラマンは通常左手でズームレートデマンドを操作するので、フォーカスデマンドと反対側にも同様の構造を設け、ズームレートデマンドに適用することができる。また、実施の形態ではビルトアップカメラユニット１２を例示しているが、これに代えてレンズ装置用操作スイッチの取付金具１０をカメラ本体に取り付けてもよい。
【００２１】
フォーカスデマンド３２は、筒形状の操作ハンドル３４と、この操作ハンドル３４を回動自在に支持する本体３６とからなり、操作ハンドル３４の回転方向、及び回転速度を示す情報がケーブル３８からレンズ装置（不図示）のフォーカス駆動制御部（不図示）に出力される。フォーカス駆動制御部は、操作ハンドル３４の回転方向、及び回転速度を示す情報に基づきレンズ装置のフォーカスレンズを駆動し、フォーカス制御を行う。
【００２２】
第１の金具３０は図２、図３に示すように略小判型の一対の金具４０、４２からなり、金具４０が菊座２８に取り付けられ、金具４２にフォーカスデマンド３２が取り付けられている。
【００２３】
すなわち、金具４０の一端部には、貫通孔４４が形成された菊座４６が固定され、この菊座４６が菊座２８に係合される。この状態で菊座４６の貫通孔４４を介してツマミ付きボルト４８を挿入し、菊座２８のねじ孔４９に螺合結合させることにより、菊座２８に第１の金具３０の金具４０が連結される。また、菊座２８に対する菊座４６の回転方向の噛合位置を適宜調整することにより、ツマミ付きボルト４８を回転中心とした金具４０の傾動位置を調整することができる。菊座２８に対して菊座４６を回転させる構造が第１の位置調整部を構成している。
【００２４】
金具４０の他端部には、図２の如く中央部に貫通孔５０が形成された菊座５２が固定され、この菊座５２に、金具４２の一端部に設けられた菊座５４が係合される。この状態で菊座５２の貫通孔５０を介してツマミ付きボルト５６を挿入し、菊座５４のねじ孔５８に螺合結合させることにより、金具４０に金具４２が連結される。また、菊座５２に対する菊座５４の回転方向の噛合位置を適宜調整することにより、ツマミ付きボルト５６を回転中心とした金具４２の傾動位置を調整することができる。菊座５２に対して菊座５４を回転させる構造が第１の位置調整部を構成している。
【００２５】
また、金具４２の他端部には菊座６０が固定され、この菊座６０に、フォーカスデマンド３２の本体３６に固定された菊座６２が噛合される。この状態で菊座６０の貫通孔６４を介してツマミ付きボルト６６を挿入し、菊座６２のねじ孔（不図示）に螺合結合させることにより、金具４２にフォーカスデマンド３２が連結される。また、菊座６０に対する菊座６２の回転方向の噛合位置を適宜調整することにより、ツマミ付きボルト６６を回転中心としたフォーカスデマンド３２の回動方向の位置を調整することができる。
【００２６】
一方、第１の金具３０の金具４０の中央部にはポール６８が突設され、このポール６８の先端部に、略Ｌ字状に形成された第２の金具７０が取り付けられる。
【００２７】
すなわち、ポール６８の先端部には、取付座７２を介して菊座７４が固定され、この菊座７４に、第２の金具７０の一端部に設けられた菊座７６が係合される。この状態で、菊座７６の中央に形成された貫通孔７８を介してツマミ付きボルト８０を挿入し、菊座７４のねじ孔８２に螺合結合させることにより、金具４０に第２の金具７０が連結される。また、菊座７４に対する菊座７６の回転方向の噛合位置を適宜調整することにより、ツマミ付きボルト８０を回転中心とした第２の金具７０の傾動位置を調整することができる。菊座７４に対して菊座７６を回転させる構造が第２の位置調整部を構成している。
【００２８】
また、第２の金具７０の他端部には菊座８３が設けられ、この菊座８３に、スイッチユニット８４が固定されたブラケット８６の菊座８８が係合される。この状態で、菊座８８の中央に形成された貫通孔９０を介してツマミ付きボルト９２を挿入し、菊座８３のねじ孔９４に螺合結合させることにより、第２の金具７０にスイッチユニット８４が連結される。また、菊座８３に対する菊座８８の回転方向の噛合位置を適宜調整することにより、ツマミ付きボルト９２を回転中心としたスイッチユニット８４の傾動位置を調整することができる。菊座８３に対して菊座８８を回転させる構造が第２の位置調整部を構成している。
【００２９】
したがって、前述した複数の第１の位置調整部、第２の位置調整部を適宜操作することにより、フォーカスデマンド３２に対するスイッチユニット８４の配置位置を調整することができる。そして、実施の形態では図１に示すように、第１の金具３０である一対の金具４０、４２を直線状に位置調整し、第２の金具７０をフォーカスデマンド３２に向けて傾動させ、かつ、スイッチユニット８４がフォーカスデマンド３２に干渉しないように傾動させることにより、フォーカスデマンド３２にスイッチユニット８４を接近させている。これにより、フォーカスデマンド３２を把持したカメラマンの右手で、フォーカスデマンド３２から右手を離すことなく、スイッチユニット８４を操作することができる。よって、フォーカスデマンド（ズームレートデマンド）３２を操作しながら、スイッチユニット８４のＯＮ／ＯＦＦ操作が可能となるので、テレビカメラ１２の操作性が向上する。
【００３０】
スイッチユニット８４には、図２に示すようにレンズ装置の防振レンズをＯＮ／ＯＦＦ操作する防振スイッチ９６、レンズ装置のワイパー装置をＯＮ／ＯＦＦ操作するワイパースイッチ９８、レンズ装置のエクステンダレンズ部を操作するエクステンダスイッチ１００が設けられている。これらのスイッチ９６、９８、１００からのＯＮ／ＯＦＦ信号は、不図示のケーブルを介してレンズ装置の所定の駆動部に出力される。よって、フォーカスデマンド（ズームレートデマンド）３２を操作しながら、防振レンズのＯＮ／ＯＦＦ操作、ワイパー装置のＯＮ／ＯＦＦ操作、及びエクステンダレンズ部のＯＮ／ＯＦＦ操作が可能となる。
【００３１】
以上の如く実施の形態のレンズ装置用操作スイッチの取付金具１０によれば、フォーカスデマンド（又はズームレートデマンド）３２は、第１の金具３０を介してビルトアップカメラユニット（又はカメラ本体）１２に取り付けられており、この第１の金具３０に第２の金具７０を装着すると、その第２の金具７０に取り付けられているスイッチユニット８４がフォーカスデマンド３２に近接配置される。これにより、フォーカスデマンド３２を操作しながら、スイッチユニット８４の操作が可能となるので、テレビカメラの操作性が向上する。
【００３２】
また、第１の位置調整部、第２の位置調整部を利用することにより、図１に示した配置位置から図４に示した配置位置にフォーカスデマンド３２、及びスイッチユニット８４を位置調整することができる。すなわち、第１の金具３０では、金具４０に対して金具４２を起立させ、かつ、第２の金具７０においても同様に起立させ、そして、スイッチユニット８４をフォーカスデマンド３２に干渉しないように起立させている。よって、フォーカスデマンド３２を図４の如くカメラマンの好みに応じた位置に調整しても、このフォーカスデマンド３２にスイッチユニット８４を近接配置することができるので、テレビカメラの操作性が更に向上する。
【００３３】
また、図３に示すように、取付金具１０によれば、金具４０にポール６８を介して第２の金具７０が連結されているため、第２の金具７０はツマミ付きボルト４８、５６から退避した位置にある。また、金具４０に対して第２の金具７０は平行に配置され、その傾動方向も同方向に設定されているので、第２の金具７０を如何なる方向に傾動しても第２の金具７０はツマミ付きボルト４８、５６に干渉しない。よって、ツマミ付きボルト４８、５６に規制されることなく第２の金具７０を傾動させることができる。
【００３４】
なお、スイッチユニット８４を使用しない場合には、第１の金具３０から第２の金具７０を取り外せばよい。
【図面の簡単な説明】
【００３５】
【図１】実施の形態に係るレンズ装置用操作スイッチの取付金具が取り付けられたビルトアップカメラユニットの側面図
【図２】図１に示した取付金具の組立斜視図
【図３】図１に示した取付金具の上面図
【図４】フォーカスデマンドとスイッチユニットの取付位置を変更した一例を示すビルトアップカメラユニットの側面図
【符号の説明】
【００３６】
１０…取付金具、１２…ビルトアップカメラユニット、１４…電子ビューファインダ、１６…支持フレーム、２０…雲台装置、２２…三脚、２８…菊座、３０…第１の金具、３２…フォーカスデマンド、７０…第２の金具、８４…スイッチユニット
【図１】
2009020432.tif 000003
【図２】
2009020432.tif 000004
【図３】
2009020432.tif 000005
【図４】
2009020432.tif 000006